(57)【特許請求の範囲】
【請求項１】
ガスブラック、
【化１】
0004658610.tif 000017
のアゾ化合物、
及び水
を含有する、水性のコロイド状ガスブラック懸濁液であって、
前記アゾ化合物は１０質量％より少ない塩を含有することを特徴とする、水性のコロイド状ガスブラック懸濁液。
【請求項２】
ガスブラックは＜２１質量％の揮発性成分（９５０℃）の含有量、８０〜３５０ｍ２／ｇのＢＥＴ表面積、８〜４０ｎｍの一次粒子の大きさ及び４０〜２００ｍｌ／１００ｇのＤＢＰ値を有することを特徴とする、請求項１記載の水性のコロイド状ガスブラック懸濁液。
【請求項３】
ガスブラックの含有量は＜３０質量％であることを特徴とする、請求項１記載の水性のコロイド状ガスブラック懸濁液。
【請求項４】
アゾ化合物の含有量は＜５質量％であることを特徴とする、請求項１記載の水性のコロイド状ガスブラック懸濁液。
【請求項５】
アゾ化合物は３０質量％より少ない不純物を含有することを特徴とする、請求項１記載の水性のコロイド状ガスブラック懸濁液。
【請求項６】
殺生物剤、湿潤剤及び／又は添加剤を含有することを特徴とする、請求項１記載の水性のコロイド状ガスブラック懸濁液。
【請求項７】
湿潤剤は脂肪アルコールエトキシラート、ポリアクリル酸又は／及びその誘導体、アクリル酸、アクリル酸誘導体、スチレン、スチレン誘導体及び／又はポリエーテルを含有する共重合体、リグノスルホン酸、アルキルベンゼンスルホン酸、ナフタレンスルホン酸誘導体、無水マレイン酸及び／又はマレイン酸誘導体を含有する共重合体又は上記の湿潤剤の組み合わせであることを特徴とする、請求項６記載の水性のコロイド状ガスブラック懸濁液。
【請求項８】
湿潤剤の含有量は０〜１質量％であることを特徴とする、請求項６記載の水性のコロイド状ガスブラック懸濁液。
【請求項９】
添加剤はアルコール、グリコール、複素環式化合物又はグリセロールであることを特徴とする、請求項６記載の水性のコロイド状ガスブラック懸濁液。
【請求項１０】
添加剤の含有量は＜２５質量％であることを特徴とする、請求項６記載の水性のコロイド状ガスブラック懸濁液。
【請求項１１】
ガスブラック及びアゾ化合物を水中に分散することを特徴とする、請求項１記載の水性のコロイド状ガスブラック懸濁液の製造方法。
【請求項１２】
分散はビーズミル、超音波装置、高圧ホモジェナイザー、マイクロフリュイダイザー、ウルトラチュラックス又は同等の装置を用いて実施することを特徴とする、請求項１１記載の水性のコロイド状ガスブラック懸濁液の製造方法。
【請求項１３】
インク、インクジェットインク、表面コーティング及び着色された印刷インクにおける、請求項１記載の水性のコロイド状ガスブラック懸濁液の使用。
【請求項１４】
請求項１記載の水性のコロイド状ガスブラック懸濁液を含有することを特徴とするインク。
【発明の詳細な説明】
【技術分野】
【０００１】
本発明は水性のコロイド状ガスブラック懸濁液、その製造方法及びその使用に関する。
【０００２】
水性のコロイド状カーボンブラック懸濁液を表面コーティング、着色された印刷インクの製造において、及びまた直接的にインクとして、例えばインクジェットプリンターにおいて使用することは公知である（ＵＳ−Ａ５０８５６９８、ＵＳ−Ａ５３２０６６８）。
【０００３】
同時に湿潤剤として作用する染料を用いて、更なる湿潤剤を添加せずにカーボンブラック懸濁液を製造することも公知である（ＵＳ−９９１１９３５）。
【０００４】
更に、水溶性の湿潤剤、例えばアクリル樹脂（ＵＳ−Ａ５６０９６７１）又はエトキシラート（ＤＥ１９８２４９４７  Ａ１）を用いて水性のカーボンブラック懸濁液を製造することも公知である。
【０００５】
湿潤剤で安定化された、公知のカーボンブラック懸濁液は、非イオン性界面活性剤が使用される場合には、ゼータ電位が高すぎかつ表面張力が低く、及び陰イオン性界面活性剤が使用される場合には、同様に陰イオン性である紙のコーティングとの強力な相互作用のために紙は非常に湿って、低い光学密度に導くという不利な点を有する。
【０００６】
染料によって安定化された、公知のカーボンブラック懸濁液の不利な点は、貯蔵及び凍結に対するその不十分な安定性である。分散液が比較的長い貯蔵寿命を有するか又は５０℃より高い、又は０℃より低い温度で貯蔵される場合には、これは著しい及び不可逆的な粘性の増大、懸濁された顔料粒子の再アグロメレーション、又は懸濁液の完全なフロキュレーションを導く。更に、ファーネスブラックが使用される場合には、比較的低い光学密度が観察されることになり、これは同様に使用の観点において相当の不利な点となる。
【０００７】
本発明の目的は、担体材料、例えば紙に対する高い光学密度、低いゼータ電位及び高い表面張力を有する水性のガスブラック懸濁液を提供することである。
【０００８】
本発明は、
ガスブラック、
一般式１
【０００９】
【化１】
0004658610.tif 000002
［前記式中、Ｒ１〜Ｒ１２は同一又は異なっていて、水素、親水又は疎水基、受容体又は供与体置換基、又は受容体、供与体、親水又は疎水基を有する脂肪族、芳香族又はヘテロ芳香族、鎖式、環式又は多環式系の部分からなってよい］
のアゾ化合物、
及び水
を含有することを特徴とする、水性のコロイド状ガスブラック懸濁液を提供する。
【００１０】
コロイド状とは、分散剤において１０ｎｍ〜１０μｍの直径を有する粒子の均一な分布を意味する。
【００１１】
インクにおける使用のためには、所望の印刷特性、例えば印刷物のシャープネスを得るために、印刷方法に依存して、低い粘性が有利である。カーボンブラック懸濁液における粒子の荷電の状態を示す低いゼータ電位は、懸濁液の良好な安定性の尺度である。高い表面張力は、例えばインクジェット方法における液滴形成において良い効果を有する。高い分散度は良好な貯蔵安定性、使用における良好な色彩特性、及び殊にインクジェット方法における、ノズル詰まりの防止のために非常に重要である。
【００１２】
ガスブラックは＜２１質量％、特に＜６質量％の揮発性成分（９５０℃）の含有量を有してよい。ガスブラックは８０〜３５０ｍ２／ｇのＢＥＴ表面積を有してよい。ガスブラックは８〜４０ｎｍ、殊に１３〜３０ｎｍ、とりわけ１３〜２０ｎｍの一次粒子の大きさを有してよい。ガスブラックは４０〜２００ｍｌ／１００ｇのＤＢＰ値を有してよい。
【００１３】
ガスブラックは様々なガスブラックの混合物であってもよい。
【００１４】
ガスブラックとしては、例えばＤｅｇｕｓｓａ  ＡＧのＦａｒｂｒｕｓｓ  ＦＷ２００、Ｆａｒｂｒｕｓｓ  ＦＷ２、Ｆａｒｂｒｕｓｓ  ＦＷ  ２  Ｖ、Ｆａｒｂｒｕｓｓ  ＦＷ  １、Ｆａｒｂｒｕｓｓ  ＦＷ  １８、Ｆａｒｂｒｕｓｓ  Ｓ  １７０、Ｆａｒｂｒｕｓｓ  Ｓ  １６０、Ｓｐｅｚｉａｌｓｃｈｗａｒｚ  ６、Ｓｐｅｚｉａｌｓｃｈｗａｒｚ  ５、Ｓｐｅｚｉａｌｓｃｈｗａｒｚ  ４、Ｓｐｅｚｉａｌｓｃｈｗａｒｚ  ４Ａ、ＮＩＰｅｘ  １５０、ＮＩＰｅｘ  １６０  ＩＱ、ＮＩＰｅｘ  １７０  ＩＱ、ＮＩＰｅｘ  １８０  ＩＱ、Ｐｒｉｎｔｅｘ  Ｕ、Ｐｒｉｎｔｅｘ  Ｖ、Ｐｒｉｎｔｅｘ  １４０  Ｕ又はＰｒｉｎｔｅｘ  １４０  Ｖが使用されてもよい。
【００１５】
本発明に従った水性のコロイド状カーボンブラック懸濁液中のガスブラックの含有量は、３０質量％より少なく、特に２０質量％より少なくてよい。
【００１６】
一般式１のアゾ化合物は前記アゾ化合物中に一般式１を１個又は数個含有していてよい。置換基Ｒ１〜Ｒ１２は非置換又は置換された、脂肪族又は芳香族置換基、例えばフェニル、ナフチル又はヘテロ芳香族置換基、例えばピロリル、ピリジニル、フリル又はプリル、受容体置換基、例えば−ＣＯＯＲ１３、−ＣＯ−Ｒ１３、−ＣＮ、−ＳＯ２Ｒ１３又は−ＳＯ２ＯＲ１３（この場合Ｒ１３＝Ｈ、アルカリ金属カチオン、アンモニウム、アルキル、アリール、又は官能化されたアルキル又はアリール、例えばω−カルボキシアルキル、ＨＳＯ３−ＣｘＨｙ−、Ｈ２Ｎ−ＣｘＨｙ−、Ｈ２Ｎ−ＳＯ２−ＣｘＨｙ−（ｘ＝１〜２０；ｙ＝１〜４５）、供与体置換基、例えばアルキル、アリール基、ＯＲ１４、Ｎ（Ｒ１４）２、ＳＲ１４又はＰ（Ｒ１４）２（この場合Ｒ１４＝Ｈ、アルキル、アリール又は官能化されたアルキル又はアリール）、−（Ｏ−Ｒ１４）ｙ−ＯＲ１５（この場合Ｒ１５＝Ｈ、アルキル又はアリール）の形のオリゴマー又はポリマーである。
一般式１のアゾ化合物として例えば、以下が使用されてもよい。
【００１７】
【化２】
0004658610.tif 000003
【００１８】
【化３】
0004658610.tif 000004
【００１９】
一般式１のアゾ化合物として例えば、以下が使用されてもよい。
Ａｃｉｄ  Ｂｌａｃｋ  １（Ｃ．Ｉ．  ２０４７０）
【００２０】
【化４】
0004658610.tif 000005
Ｍｏｒｄａｎｔ  Ｇｒｅｅｎ  １７（Ｃ．Ｉ．  １７２２５）又は
【００２１】
【化５】
0004658610.tif 000006
Ｍｏｒｄａｎｔ  Ｂｌｕｅ  １３（Ｃ．Ｉ．  １６６８０）
【００２２】
【化６】
0004658610.tif 000007
【００２３】
本発明に従った水性のコロイド状カーボンブラック懸濁液における一般式１のアゾ化合物の量は５質量％より少なく、特に３質量％より少なくてよい。
【００２４】
一般式１のアゾ化合物は３０質量％より少ない、特に２０質量％より少ない不純物を含有してよい。
【００２５】
一般式１のアゾ化合物は１０質量％より少ない、特に５質量％より少ない塩を含有してよい。
【００２６】
アゾ化合物Ａｃｉｄ  Ｂｌａｃｋ  １、Ｍｏｒｄａｎｔ  Ｇｒｅｅｎ  １７又はＭｏｒｄａｎｔ  Ｂｌｕｅ  １３は３０質量％より少ない不純物及び１０質量％より少ない塩を含有してよい。
【００２７】
本発明に従った水性のコロイド状ガスブラック懸濁液は殺生物剤、湿潤剤及び／
又は添加剤を含有してよい。
【００２８】
本発明に従った水性のコロイド状ガスブラック懸濁液は殺生物剤を含有してよい。殺生物剤は０．０１〜１．０質量％の量において添加されてよい。殺生物剤としては、イソチアゾリノン誘導体、ホルムアルデヒド脱離剤又は２種類の生成物の組み合わせ生成物が使用されてよい。例えば、Ｓｃｈｕｅｌｋｅ＆ＭａｙｒのＰａｒｍｅｔｏｌ、Ｂｏｄｅ  ＣｈｅｍｉｅのＥｂｏｔｅｃ、Ｔｈｏｒ  ＣｈｅｍｉｅのＡｃｔｉｃｉｄｅ又はＺｅｎｅｃａのＰｒｏｘｅｌが殺生物剤として使用されてよい。
【００２９】
総懸濁液に基づいて０〜１質量％、特に０．４〜０．６質量％の量において湿潤剤を添加することも更に可能である。湿潤剤としては、例えば脂肪アルコールエトキシラート、ポリアクリル酸又は／及びその誘導体、アクリル酸、アクリル酸誘導体、スチレン、スチレン誘導体及び／又はポリエーテルを含有する共重合体、リグノスルホン酸、アルキルベンゼンスルホン酸、ナフタレンスルホン酸誘導体、無水マレイン酸及び／又はマレイン酸誘導体を含有する共重合体の化合物の種類、又は上記の湿潤剤の組み合わせが使用されてよい。共重合体はランダム又は交互ブロック又はグラフト共重合体であってよい。例えば、Ｊｏｈｎｓｏｎ  Ｐｏｌｙｍｅｒ  Ｂ．Ｖ．のＪｏｎｃｒｙｌ  ６７８、Ｊｏｎｃｒｙｌ  ６８０、Ｊｏｎｃｒｙｌ  ６８２又はＪｏｎｃｒｙｌ  ６９０は分散補助添加剤として使用されてよい。
【００３０】
有利な実施態様においては、分散補助添加剤として、アンモニウム又は水酸化アルカリ、特にＮａＯＨで完全に中和されている、スチレン−アクリル酸共重合体の形を使用することが可能である。
【００３１】
他の種類の湿潤剤も同様に本発明に従ったカーボンブラック懸濁液の製造に適している。
【００３２】
添加剤、例えばアルコール、例えば１，５−ペンタンジオール、グリコール、例えばジプロピレングリコール、複素環式化合物、例えば２−ピロリドン、又はグリセロールを本発明に従った水性のコロイド状ガスブラック懸濁液に対して添加することもまた可能である。
【００３３】
本発明に従った水性のコロイド状ガスブラック懸濁液における添加剤の量は２５質量％より少なく、特に１５質量％より少なくてよい。
【００３４】
本発明はまた、ガスブラック及び一般式１のアゾ化合物を水中に分散することを特徴とする、本発明に従った水性のコロイド状ガスブラック懸濁液の製造方法を提供する。
【００３５】
分散はビーズミル、超音波装置、高圧ホモジェナイザー、マイクロフリュイダイザー（ｍｉｃｒｏｆｌｕｉｄｉｚｅｒｓ）、ウルトラチュラックス（Ｕｌｔｒａ−Ｔｕｒｒａｘ）又は同等の装置を用いて実施してよい。分散に引き続き、水性のコロイド状ガスブラック懸濁液を遠心分離及び／又は濾過によって精製してよい。
【００３６】
本発明はまた、インク、インクジェットインク、表面コーティング及び着色された印刷インクにおける、本発明に従った水性のコロイド状ガスブラック懸濁液の使用に関する。
【００３７】
本発明はまた、本発明に従った水性のコロイド状ガスブラック懸濁液を含有することを特徴とするインクに関する。
【００３８】
本発明に従った水性のコロイド状ガスブラック懸濁液の利点は、高い光学密度、低いゼータ電位、高い表面張力、良好な貯蔵安定性及び高い分散度である。
【００３９】
実施例：
カーボンブラック懸濁液の製造：
１．懸濁液の製造のための調製：
カーボンブラックを除く全ての成分を容器に装入し、撹拌によって均質化する。
カーボンブラックをゆっくりとした撹拌によって徐々に溶液に均質混合する（手又はゆっくりとした撹拌装置の使用のどちらかにより）。
２．分散
項目１において調製された懸濁液を、超音波装置を用いて分散する。非常に粗い粒子を遠心分離において、生じる懸濁液から分離してもよい。
対照懸濁液及び本発明に従った水性のコロイド状ガスブラック懸濁液１の組成及び特性を表１に示す。
【００４０】
【表１】
0004658610.tif 000008
【００４１】
ＮＩＰｅｘ９０は１４ｎｍの一次粒子の大きさを有するＤｅｇｕｓｓａ  ＡＧの高いストラクチャーのファーネスブラックである。
ＮＩＰｅｘ１６０  ＩＱは２０ｎｍの一次粒子の大きさを有するＤｅｇｕｓｓａのガスブラックである。
Ａｃｔｉｃｉｄｅ  ＭＢＳはＴｈｏｒ  Ｃｈｅｍｉｅの殺生物剤である。
Ａｃｉｄ  Ｂｌａｃｋ  １としては、Ａｌｄｒｉｃｈ  Ｃｈｅｍｉｃａｌ  Ｃｏｍｐａｎｙの式
【００４２】
【化７】
0004658610.tif 000009
を有するＮａｐｔｈｏｌ  Ｂｌｕｅ  Ｂｌａｃｋを使用する。Ａｃｉｄ  Ｂｌａｃｋ  １は１．５質量％の塩の含有量を有する。
【００４３】
塩の含有量の決定
アゾ化合物の塩の含有量は、硫酸塩濃度によって測定され硫酸ナトリウムに変換される硫酸ナトリウム、及び塩化物濃度によって測定され塩化ナトリウムに変換される塩化ナトリウムの総量である。
【００４４】
硫酸塩濃度の決定
方法の基礎
容量の低いイオン交換体を分離カラムとして使用する。イオンの溶出が電解質を用いて生じる。電気伝導度検出器を検出のために使用する。
【００４５】
化学薬品
高純水（電気伝導率＜０．１μＳ／ｃｍ）
硫酸塩貯蔵溶液  ｗ（ＳＯ４）＝１０００ｍｇ／ｌ
溶出剤  Ｎａ２ＣＯ３／ＮａＨＣＯ３（２．２／２．８ｍｍｏｌ．／ｌ）
装置
容器
電気伝導度検出器を有するイオンクロマトグラフ
容量の低いイオン交換体
原理
試料を容器中で一時間の間室温において高純水を用いて溶出し、硫酸塩をイオンクロマトグラフィによって溶出物中で決定する。
【００４６】
実施
約２００ｍｇの試料を閉じることが可能な試験管中で計量し、容器において一時間の間室温で高純水を用いて溶出する。
懸濁液を次にメスフラスコに移し高純水で標線まで満たす。試験溶液が０．５〜４０ｍｇ／ｌ  ＳＯ４２−を含有するようにメスフラスコを選択しなくてはならない。
試験溶液を０．２μｍ注入フィルターを用いイオンクロマトグラフに注入する。硫酸塩濃度を測定されたピーク面積を用いて計算する。
【００４７】
計算
【００４８】
【数１】
0004658610.tif 000010
【００４９】
【数２】
0004658610.tif 000011
【００５０】
塩化物濃度の決定
方法の基礎
塩化物の含有量を決定するために、試料を高純水中に懸濁する。
塩化物濃度を銀滴定を使用して決定する。
【００５１】
化学薬品
高純水（電気伝導率＜０．１μＳ／ｃｍ）
塩化物貯蔵溶液、ｃ（Ｃｌ−）＝０．１０００±０．０００５ｍｏｌ．／ｌ
硝酸銀溶液、ｃ（ＡｇＮＯ３）＝０．１ｍｏｌ．ｍｏｌ．／ｌ又は
０．０１ｍｏｌ．／ｌ
硝酸ｗ（ＨＮＯ３）＝３０％
装置
Ｔｉｔｒｏｐｒｏｃｅｓｓｏｒ６７０（Ｍｅｔｒｏｈｍ）
銀棒電極
基準電極（Ｈｇ／ＨｇＳＯ４）
原理
懸濁液の製造の後、懸濁液を酸性化し、硝酸銀を用いて滴定する。
【００５２】
実施
約１〜３ｇの試料を１ｍｇの正確さでもってガラスビーカーの中で計量する。
約８０ｍｌの高純水の添加の後、液位の上のビーカー壁に付着する材料を少量の水ですすぎ落としながら、撹拌を行う。
５分後、試料を硝酸で酸性化し、電極及びビュレットの先端を懸濁液中に浸し、滴定を電位差的に実施する。
【００５３】
計算
塩化物の重量ｗを次のように計算する：
【００５４】
【数３】
0004658610.tif 000012
【００５５】
【数４】
0004658610.tif 000013
【００５６】
本発明に従った水性のコロイド状ガスブラック懸濁液１は粘性が低く、及び高い光学密度、良好な貯蔵安定性及び高い分散度を示す。ファーネスブラックから製造された三つの対照懸濁液を使用して、流動可能な懸濁液は対照懸濁液３でのみ、Ａｃｉｄ  Ｂｌａｃｋ  １の量を著しく増加させることによってのみ得ることが可能であった。
【００５７】
図１は対照懸濁液３及び本発明に従った水性のコロイド状ガスブラック懸濁液１の光学顕微鏡画像を示す。対照懸濁液３は粗い粒子の高い含有量を有し、又は部分的にフロキュレーションし、及び従ってインクジェットインク用の要求を満たさない。本発明に従ったガスブラック懸濁液１は、他方で粗い粒子の、識別できるほどの含有量を示さない。
【００５８】
表２は本発明に従った水性のコロイド状ガスブラック懸濁液１と比較した、添加された陰イオン性湿潤剤（４）及び非イオン性湿潤剤（５）を有する対照懸濁液を示す。
【００５９】
【表２】
0004658610.tif 000014
【００６０】
Ｄｉｓｐｏｎｉｌ  ＦＥＳ  ３２  ＩＳはＣｏｇｎｉｓの陰イオン性湿潤剤（脂肪アルコールポリグリコールエーテルスルファート）である。Ｈｙｄｒｏｐａｌａｔ  ３０６５はＣｏｇｎｉｓの非イオン性湿潤剤（エトキシル化された線形脂肪アルコールの混合物）である。ＡＭＰ  ９０はＡｎｇｕｓ  Ｃｈｅｍｉｅの２−アミノ−２−メチル−１−プロパノールである。
【００６１】
本発明に従った水性のコロイド状ガスブラック懸濁液１と比較して、湿潤剤で安定化された対照懸濁液４及び５は、非イオン性界面活性剤（５）が使用される場合には高すぎるゼータ電位及び低い表面張力を示し、その一方で陰イオン性界面活性剤（４）が使用される場合には、同様に陰イオン性である紙のコーティングとの強力な相互作用のために、過剰な紙の濡れ及び従って低すぎる光学密度が観察される（表２）。
【００６２】
表３は本発明に従った２種類の水性のコロイド状ガスブラック懸濁液２及び３の組成及び特性を示す。
【００６３】
【表３】
0004658610.tif 000015
【００６４】
光学顕微鏡による分散度の検討：
カーボンブラック懸濁液試料の分散度を４００×の倍率で評価する。顕微鏡の目盛りを用いて、＞１μｍの粗い粒子は前記設定で容易に検出することが可能である。
【００６５】
粘性の決定：
レオロジーの挙動を、制御されたずり速度（ＣＳＲ）を有する回転検査においてＰｈｙｓｉｃａ  Ｒｈｅｏｍｅｔｅｒ  ＵＤＳ  ２００を用いて決定する。粘性値を１０００ｓ−１のずり速度で読みとる。
【００６６】
平均の粒子の大きさの決定：
粒子の大きさの分布を光子相関分光計（ＰＣＳ）、Ｈｏｒｉｂａ  ＬＢ−５００型を用いて決定し、示された「中央値」を平均の粒子の大きさとして読みとる。測定を希釈されていない懸濁液試料に対して行う。
【００６７】
表面張力の決定：
動的な表面張力をＫｒｕｅｓｓのＢＰ２  ｂｕｂｂｌｅ  ｔｅｎｓｉｏｍｅｔｅｒを用いて決定する。最終値を３０００ｍｓで読みとる。
【００６８】
５０℃での２８日間にわたる貯蔵安定性の試験：
試料を５０℃で乾燥棚中で２８日間貯蔵する。粘性及びセディメントする傾向が検討される。
それぞれの懸濁液試料３００ｍｌを２８日間５０℃で乾燥棚中で閉じられたガラス瓶の中で貯蔵する。底部におけるセディメントの形成をスパチュラでチェックし、及び粘性をＢｒｏｏｋｆｉｅｌｄ  ＤＶ  ＩＩ  ｐｌｕｓ  ｖｉｓｃｏｍｅｔｅｒを用いて測定する。加えて、室温において貯蔵した場合のいくつかの試料におけるセディメントの形成を検討する。
【００６９】
凍結に対する安定性の試験：
試料を−２５℃で凍結し、解凍の後、分散度を光学顕微鏡を用いてチェックする。
解凍の後、凍結された試料が再び高度に液状のコンシステンシーを有し、セディメントを形成せず、及び再アグロメレーションが光学顕微鏡下で可視できなければ、試料は凍結に安定であると評価する。
【００７０】
ｐＨの決定：
ｐＨをＳｃｈｏｔｔのＣＧ８３７  ｐＨ  ｍｅｔｅｒ  を用いて希釈されてない懸濁液に対して決定する。この目的のために、ガラス電極を溶液に浸し、及び温度修正されたｐＨを５分後に読みとる。
【００７１】
ゼータ電位の決定：
ゼータ電位をＭａｔｅｃのＭＢＳ−８０００を用いて決定する。試料を希釈されていない状態で測定する。ゼータ電位を動電音響（ＥＳＡ）を使用して決定する。
【００７２】
光学顕微鏡：
懸濁液試料の分散度を４００×倍率で評価する。光学顕微鏡の目盛りを使用して、＞１μｍの粗い粒子はその設定で容易に検出することが可能である。
評価の段階：
評価１：非常に良好；＞１μｍの粗い分画はない、
評価２：よい；＞１μｍの粗い分画はほとんどない、
評価３：悪い；＞１μｍの粗い粒子が多い
本発明に従った水性のコロイド状ガスブラック懸濁液２及び３は最適懸濁液用の全ての要求を満たす。
【００７３】
２−ピロリドン、１，２−ヘキサンジオール、１，３−プロパンジオール、エトキシル化されたグリセロール、ジメチルアミノエタノール及び脱イオン水を使用して、４．５％のカーボンブラック含有量を含有するインクを本発明に従ったガスブラック懸濁液から調製する。この目的のために、インク添加剤の予混合物を容器に入れ、攪拌しながらカーボンブラック懸濁液を前記予混合物中に注意深く添加する。完成したインクを５００ｎｍの細度のフィルターで濾過する。６μｍのドローダウンを次にコピー紙（型：Ｋｏｍｐａｓｓ  Ｃｏｐｙ  Ｏｆｆｉｃｅ）の上に、Ｋ  Ｃｏｎｔｒｏｌ  Ｃｏａｔｅｒ  塗布装置を用いて作製し、光学密度を２４時間後にデンシトメーターを用いて決定する。
【００７４】
印刷試験をＣａｎｏｎ  Ｏｆｆｉｃｅ  ｐｒｉｎｔｅｒ  ＢＪＣ−Ｓ７５０及びＨＰ  Ｏｆｆｉｃｅ  ｐｒｉｎｔｅｒ  ９７０  Ｃｘｉを用いて実施する。この目的のために、インクを最初に真空中で脱気し、洗浄されたオリジナルのプリンターカートリッジ中に導入する。
【００７５】
次の印刷試験を実施する：
ａ．光学密度の決定及び印刷品質の視覚的な評価のためにコピー紙及び様々な市販のインクジェット紙の上に片面印刷。
ｂ．印刷開始又はインクの乾燥挙動を評価するために、１日間、３日間及び７日間の印刷の休止期間の後に試験再開。
印刷結果は表４に要約される。
【００７６】
本発明に従ったインクは非常に良好な印刷適性、高い光学密度及び非常に良好な貯蔵安定性によって特徴づけられる。
【００７７】
【表４】
0004658610.tif 000016
【００７８】
注：
１＝非常に良好；２＝よい；３＝悪い
＋＝印刷開始に問題なし；−＝印刷開始に問題あり
【図面の簡単な説明】
【００７９】
【図１】図１は対照懸濁液３及び本発明に従った水性のコロイド状ガスブラック懸濁液１の光学顕微鏡画像を示す。
【図１】
0004658610.tif 000018